(57)【要約】【課題】フィルタをヒーターで加熱して不純物の除去を行っても、それに伴って発電性能が低下してしまうことの無い燃料電池装置を提供する。【解決手段】この燃料電池装置ＦＣＡは、ヒーターＨＴによって第１フィルタＦ１を加熱することで、吸着した不純物を第１フィルタＦ１から除去する再生処理を行うことが可能となっている。再生処理が行われているときに第１フィルタＦ１から排出される不純物を、燃料電池スタックＦＣに到達させることなく外部に排出する排出手段（三方弁Ｖ２及び配管ＰＰ１２）を更に備えている。【選択図】図１
2016177918.tif 000002
【特許請求の範囲】
【請求項１】
燃料ガスと酸化剤ガスとの供給を受けて発電する燃料電池（ＦＣ）と、
前記燃料電池に前記酸化剤ガスを供給するための供給配管（ＰＰ１０）と、
前記供給配管に設けられ、前記酸化剤ガスに含まれる不純物を吸着させるフィルタ（Ｆ１）と、
前記フィルタを加熱するヒーター（ＨＴ）と、を備え、
前記ヒーターによって前記フィルタを加熱することで、吸着した前記不純物を前記フィルタから除去する再生処理を行うことが可能となっており、
前記再生処理が行われているときに前記フィルタから排出される前記不純物を、前記燃料電池に到達させることなく外部に排出する排出手段（Ｖ２、ＰＰ１２）を更に備えたことを特徴とする燃料電池装置。
【請求項２】
前記排出手段は、前記供給配管のうち前記フィルタよりも下流側となる位置に設けられた三方弁（Ｖ２）を有することを特徴とする、請求項１に記載の燃料電池装置。
【請求項３】
前記三方弁には、前記フィルタから排出される前記不純物を外部に排出するための第１排出配管（ＰＰ１２）が接続されていることを特徴とする、請求項２に記載の燃料電池装置。
【請求項４】
発電に供することなく前記燃料電池を通過した前記酸化剤ガスを外部に排出するための第２排出配管（ＰＰ１１）を更に備えており、
前記第１排出配管は前記第２排出配管に接続されていることを特徴とする、請求項３に記載の燃料電池装置。
【請求項５】
前記供給配管内の圧力を検知する圧力検知手段（ＰＳ１、ＰＳ２、ＰＳ３）を更に備えたことを特徴とする、請求項１乃至４のいずれか１項に記載の燃料電池装置。
【発明の詳細な説明】
【技術分野】
【０００１】
本発明は燃料電池装置に関する。
【背景技術】
【０００２】
燃料電池装置は、燃料ガス及び酸化剤ガスが持つ化学エネルギーを直接電気エネルギーに変換する発電装置である。その発電効率は非常に高く、また排出されるガスも比較的クリーンであることから、次世代の発電装置として注目されている。
【０００３】
燃料電池の各セルは、アノード及びカソードを有している。アノードには、水素を含む燃料ガスが供給され、カソードには、酸素を含む酸化剤ガスが供給される。燃料ガスは、例えば都市ガス等に含まれるメタンを水蒸気改質することにより生成され、アノードに供給される。酸化剤ガスについては、燃料電池装置の周囲の空気（大気）が取り込まれ、当該空気がそのまま酸化剤ガスとしてカソードに供給される。
【０００４】
空気には、埃や粉塵、硫黄酸化物等の不純物が含まれている。このような不純物が燃料電池のカソードに到達してしまうと、燃料電池のセルが劣化し、燃料電池装置の発電性能が低下してしまう。このため、カソードに空気（酸化剤ガス）を供給するための配管の途中には、空気に含まれる不純物を吸着させ除去するためのフィルタが設けられる（例えば下記特許文献１を参照）。このようなフィルタとしては、不純物を物理吸着させるものや、化学吸着させるものがある。
【０００５】
燃料電池装置の運転が長期に亘り継続されると、フィルタにおける不純物の吸着量は次第に増加して行き、これに伴ってフィルタの吸着性能は次第に低下して行く。このため、下記特許文献１に記載の燃料電池装置では、ヒーターによってフィルタを加熱し、フィルタに吸着された不純物をフィルタから離脱させ除去すること、すなわち、フィルタを再生し吸着性能を向上させることが可能となっている。
【先行技術文献】
【特許文献】
【０００６】
【特許文献１】特開２００６−５９６７３号公報
【発明の概要】
【発明が解決しようとする課題】
【０００７】
上記特許文献１に記載された構成の燃料電池装置では、ヒーターによりフィルタの加熱が行われているときに、フィルタから離脱した不純物が配管を通って燃料電池に到達してしまうと考えられる。このため、フィルタは再生される一方で、燃料電池のセルは劣化してしまう可能性がある。このように、従来の燃料電池装置においては、フィルタの再生を行う際における燃料電池の保護について、具体的な検討がなされていなかった。
【０００８】
本発明はこのような課題に鑑みてなされたものであり、その目的は、フィルタをヒーターで加熱して不純物の除去を行っても、それに伴って発電性能が低下してしまうことの無い燃料電池装置を提供することにある。
【課題を解決するための手段】
【０００９】
上記課題を解決するために、本発明に係る燃料電池装置は、燃料ガスと酸化剤ガスとの供給を受けて発電する燃料電池と、燃料電池に酸化剤ガスを供給するための供給配管と、供給配管に設けられ、酸化剤ガスに含まれる不純物を吸着させるフィルタと、フィルタを加熱するヒーターと、を備え、ヒーターによってフィルタを加熱することで、吸着した前記不純物を前記フィルタから除去する再生処理を行うことが可能となっている。また、再生処理が行われているときにフィルタから排出される不純物を、燃料電池に到達させことなく外部に排出する排出手段を更に備えている。
【００１０】
このような構成の燃料電池装置では、再生処理が行われている時にフィルタから排出される不純物、すなわち、ヒーターによる加熱に伴ってフィルタから離脱した不純物が、燃料電池に到達することなく外部に排出される。このため、フィルタの再生処理が行われても、それに伴って燃料電池のセルが劣化してしまうことはなく、発電性能が低下してしまうことが無い。
【発明の効果】
【００１１】
本発明によれば、フィルタをヒーターで加熱して不純物の除去を行っても、それに伴って発電性能が低下してしまうことの無い燃料電池装置が提供される。
【図面の簡単な説明】
【００１２】
【図１】本発明の実施形態に係る燃料電池装置の全体構成を模式的に示す図である。
【図２】図１に示される燃料電池装置の変形例を模式的に示す図である。
【発明を実施するための形態】
【００１３】
以下、添付図面を参照しながら本発明の実施形態について説明する。説明の理解を容易にするため、各図面において同一の構成要素に対しては可能な限り同一の符号を付して、重複する説明は省略する。
【００１４】
図１に示されるように、燃料電池装置ＦＣＡは、燃料電池スタックＦＣと、空気供給配管ＰＰ１０と、燃料供給配管ＰＰ２０と、制御装置ＣＴと、を備えている。
【００１５】
燃料電池スタックＦＣは、複数のセル（不図示）の集合体である。それぞれのセルは固体酸化物形の燃料電池（Solid Oxide Fuel Cell：ＳＯＦＣ）であって、平板状の固体電解質の一方側の面にアノード（燃料極）が形成され、他方側の面にカソード（空気極）が形成された構成となっている。これらアノード及びカソードは、いずれも導電性のセラミックスで形成され、カソードには触媒となる物質（例えばストロンチウム等）を焼結させた多孔体構造となっている。燃料電池スタックＦＣでは、全てのセルが上下方向に積層されており、これらが電気的に直列接続された状態となっている。それぞれのアノードに燃料ガスが供給され、それぞれのカソードに酸化剤ガス（空気）が供給されることにより、燃料電池スタックＦＣでは発電が行われる。
【００１６】
空気供給配管ＰＰ１０は、燃料電池装置ＦＣＡの周囲の空気（大気）を取り込んで、当該空気を酸化剤ガスとして燃料電池スタックＦＣのそれぞれのカソードに供給するための配管である。空気供給配管ＰＰ１０には、上流側から順に、ポンプＣＰと、三方弁Ｖ１と、第１フィルタＦ１と、三方弁Ｖ２と、三方弁Ｖ３と、第２フィルタＦ２と、三方弁Ｖ４と、が設けられている。
【００１７】
ポンプＣＰは、所謂コンプレッサであって、空気供給配管ＰＰ１０を通じて空気を燃料電池装置ＦＣＡに送り込むためのものである。ポンプＣＰの回転数、すなわち、燃料電池装置ＦＣＡに供給される空気の流量は、後述の制御装置ＣＴにより制御される。
【００１８】
三方弁Ｖ１は、ポンプＣＰからの空気が通過して第１フィルタＦ１側に向かう状態と、第１フィルタＦ１側には向かわずに配管ＰＰ１３に流入する状態と、を切り替えるための弁である。配管ＰＰ１３は、その上流側端部が三方弁Ｖ１に接続された配管であって、後述の配管ＰＰ１４と共に、第１フィルタＦ１を迂回して空気を流すための経路として設けられた配管である。三方弁Ｖ１の動作（流路の切り替え）は、制御装置ＣＴにより制御される。
【００１９】
第１フィルタＦ１は、空気供給配管ＰＰ１０を通る空気から、埃や粉塵、硫黄酸化物等の不純物を除去するためのフィルタである。本実施形態では、第１フィルタＦ１は活性炭により構成されている。第１フィルタＦ１は、不純物を主に物理吸着させることによって除去するものである。空気は、それに含まれる不純物の殆どが第１フィルタＦ１において除去されて、燃料電池スタックＦＣに向かって流れる。
【００２０】
第１フィルタＦ１の近傍には、ヒーターＨＴが設けられている。ヒーターＨＴは、電力の供給を受けて発熱し、第１フィルタＦ１を加熱するものである。ヒーターＨＴへの電力の供給、すなわちヒーターＨＴの発熱は、制御装置ＣＴにより制御される。
【００２１】
三方弁Ｖ２は、第１フィルタＦ１を通った空気が通過して第２フィルタＦ２側に向かう状態と、第２フィルタＦ２側には向かわずに配管ＰＰ１２に流入する状態と、を切り替えるための弁である。配管ＰＰ１２は、その上流側端部が三方弁Ｖ２に接続された配管である。配管ＰＰ１２の下流側端部は、外部（大気）に開放されている。三方弁Ｖ２の動作は、制御装置ＣＴにより制御される。
【００２２】
三方弁Ｖ３は、第１フィルタＦ１及び三方弁Ｖ２を通った空気が通過して第２フィルタＦ２側に向かう状態と、第１フィルタＦ１及び三方弁Ｖ２を通った空気が遮断され、代わりに配管ＰＰ１４からの空気が第２フィルタＦ２側に向かって通過する状態と、を切り替えるための弁である。尚、三方弁Ｖ３は上記以外の状態ともなり得るのであるが、これについては後述する。配管ＰＰ１４は、その一端が三方弁Ｖ３に接続された配管であって、先に述べた配管ＰＰ１３と共に、第１フィルタＦ１を迂回して空気を流すための経路として設けられた配管である。三方弁Ｖ３の動作は、制御装置ＣＴにより制御される。
【００２３】
第２フィルタＦ２は、第１フィルタＦ１と同様に、空気供給配管ＰＰ１０を通る空気から不純物を除去するためのフィルタである。第２フィルタＦ２は、不純物を主に化学吸着させることによって除去するものである。第２フィルタＦ２では、第１フィルタＦ１では除去されなかった微量の不純物が空気から除去される。不純物が除去された空気は、第２フィルタＦ２から燃料電池スタックＦＣに向かって流れる。
【００２４】
三方弁Ｖ４は、第２フィルタＦ２を通った空気が通過して燃料電池スタックＦＣに向かう状態と、第２フィルタＦ２を通った空気が遮断され、代わりに配管ＰＰ１５からの空気が燃料電池スタックＦＣに向かって通過する状態と、を切り替えるための弁である。配管ＰＰ１５は、その下流側端部が三方弁Ｖ４に接続された配管である。配管ＰＰ１５の上流側端部は、配管ＰＰ１４の端部（三方弁Ｖ３とは反対側の端部）に、三方弁Ｖ５を介して接続されている。三方弁Ｖ４の動作は、制御装置ＣＴにより制御される。
【００２５】
配管ＰＰ１５の途中（三方弁Ｖ５と三方弁Ｖ４との間）には、第３フィルタＦ３が配置されている。第３フィルタＦ３は、第２フィルタＦ２と同一のフィルタである。配管ＰＰ１５の上流側端部に配置された三方弁Ｖ５は、配管ＰＰ１３と配管ＰＰ１４とが連通しており、且つ配管ＰＰ１３（及び配管ＰＰ１４）と配管ＰＰ１５とが連通していない状態と、配管ＰＰ１４と配管ＰＰ１５とが連通しており、且つ配管ＰＰ１３と配管ＰＰ１４（及び配管ＰＰ１５）とが連通していない状態とを切り替えるための弁である。三方弁Ｖ５の動作は、制御装置ＣＴにより制御される。
【００２６】
空気供給配管ＰＰ１０を通って燃料電池スタックＦＣに供給され、各セルのカソードに到達した空気は、燃料電池スタックＦＣにおいて発電に供される。ただし、当該空気に含まれる酸素のうち一部は、発電に供されることなく、他の成分（窒素等）と共に燃料電池スタックＦＣから排出される。図１に示される配管ＰＰ１１は、このような残余の空気を外部に排出するための配管である。
【００２７】
燃料供給配管ＰＰ２０は、水素を含有する燃料ガスを燃料電池スタックＦＣのそれぞれのアノードに供給するための配管である。燃料供給配管ＰＰ２０には、改質器ＲＦが設けられている。
【００２８】
燃料供給配管ＰＰ２０の上流側端部には、都市ガスの供給源（不図示：例えばガスメータ）が接続されている。改質器ＲＦは、供給された都市ガスに含まれる炭化水素（メタン）を、水蒸気改質反応により水素に変化させるものである。つまり、燃料供給配管ＰＰ２０を流れる都市ガスは、改質器ＲＦを通ることにより水素含有ガスとなる。当該水素含有ガスが燃料ガスとして燃料電池スタックＦＣに供給される。
【００２９】
燃料供給配管ＰＰ２０を通って燃料電池スタックＦＣに供給され、各セルのアノードに到達した燃料ガスは、燃料電池スタックＦＣにおいて発電に供される。ただし、当該燃料ガスに含まれる水素のうち一部は、発電に供されることなく、他の成分と共に燃料電池スタックＦＣから排出される。図１に示される配管ＰＰ２１は、このような残余の燃料ガスを外部に排出するための配管である。
【００３０】
制御装置ＣＴは、燃料電池装置ＦＣＡの全体を制御するコンピュータシステムである。制御装置ＣＴには、燃料電池装置の各部に設けられた複数のセンサから測定値が入力される。図１では、このようなセンサのうち、圧力センサＰＳ１、ＰＳ２、ＰＳ３のみが示されている。
【００３１】
圧力センサＰＳ１は、空気供給配管ＰＰ１０のうち、ポンプＣＰと三方弁Ｖ１との間の部分における空気の圧力を測定するためのセンサである。圧力センサＰＳ２は、空気供給配管ＰＰ１０のうち、三方弁Ｖ２と三方弁Ｖ３との間の部分における空気の圧力を測定するためのセンサである。圧力センサＰＳ３は、空気供給配管ＰＰ１０のうち、三方弁Ｖ４と燃料電池スタックＦＣとの間の部分における空気の圧力を測定するためのセンサである。
【００３２】
制御装置ＣＴは、これら圧力センサＰＳ１、ＰＳ２、ＰＳ３を含む各種センサから入力される測定値に基づいて、燃料電池装置ＦＣＡの制御を行う。
【００３３】
燃料電池装置ＦＣＡの通常の運転時においては、空気は、空気供給配管ＰＰ１０のみを通って燃料電池スタックＦＣに供給される。すなわち、ポンプＣＰから三方弁Ｖ１、第１フィルタＦ１、三方弁Ｖ２、三方弁Ｖ３、第２フィルタＦ２、三方弁Ｖ４を順に通って燃料電池スタックＦＣに供給される。換言すれば、このような経路を空気が通るように、三方弁Ｖ１、Ｖ２、Ｖ３、Ｖ４のそれぞれの状態が切り替えられている。
【００３４】
燃料電池装置ＦＣＡの運転が長期に亘り継続されると、第１フィルタＦ１における不純物の吸着量は次第に増加して行き、これに伴って第１フィルタＦ１の吸着性能は次第に低下して行く。
【００３５】
制御装置ＣＴは、第１フィルタＦ１の吸着性能が低下したか否かを、圧力センサＰＳ１、ＰＳ２のそれぞれの測定値に基づいて判定する。具体的には、圧力センサＰＳ１の測定値から圧力センサＰＳ２の測定値を差し引いた値（つまり、第１フィルタＦ１における圧力損失）が所定の閾値を超えた場合には、第１フィルタＦ１の吸着性能が低下したと判定する。このような判定がなされると、制御装置ＣＴは、第１フィルタＦ１の再生処理を行う。
【００３６】
再生処理とは、ヒーターＨＴによって第１フィルタＦ１を加熱することで、第１フィルタＦ１に吸着されている不純物を離脱させる（第１フィルタＦ１から除去する）処理である。
【００３７】
ところで、再生処理によって第１フィルタＦ１から離脱した不純物は、第１フィルタＦ１から下流側の燃料電池スタックＦＣに向かって流れることとなる。不純物が燃料電池スタックＦＣの各カソードに到達してしまうと、カソードが劣化してしまう可能性がある。特に、不純物に含まれる硫黄酸化物がカソードの触媒（ストロンチウム）に到達すると、ストロンチウムと硫黄とが反応し（触媒の被毒が生じ）、触媒の性能が著しく低下してしまう。その結果、燃料電池装置ＦＣＡの発電性能も低下することとなる。
【００３８】
そこで、本実施形態においては、再生処理の実行中に第１フィルタＦ１から離脱した不純物が、燃料電池スタックＦＣに到達することの無いよう、制御装置ＣＴにより三方弁Ｖ１等の状態が切り替えられる。
【００３９】
再生処理の実行中におけるそれぞれの三方弁（Ｖ１等）の状態について、具体的に説明する。三方弁Ｖ１は、ポンプＣＰからの空気が第１フィルタＦ１側には向かわず、配管ＰＰ１３に流入するような状態に切り替えられる。三方弁Ｖ２は、第１フィルタＦ１を通った空気が第２フィルタＦ２側には向かわず、配管ＰＰ１２に流入するような状態に切り替えられる。
【００４０】
三方弁Ｖ３は、第１フィルタＦ１及び三方弁Ｖ２を通った空気が遮断され、代わりに配管ＰＰ１４からの空気が第２フィルタＦ２側に向かって通過するような状態に切り替えられる。三方弁Ｖ４は、第２フィルタＦ２を通った空気が通過して燃料電池スタックＦＣに向かうような状態となっている。三方弁Ｖ５は、配管ＰＰ１３と配管ＰＰ１４とが連通しており、且つ配管ＰＰ１３（及び配管ＰＰ１４）と配管ＰＰ１５とが連通していない状態に切り替えられる。
【００４１】
このような状態においては、ポンプＣＰから送り込まれた空気は、三方弁Ｖ１、三方弁Ｖ５、三方弁Ｖ３、第２フィルタＦ２、三方弁Ｖ４を順に通って燃料電池スタックＦＣに供給される。すなわち、第１フィルタＦ１を通ることなく、第１フィルタＦ１を迂回するような経路を通って燃料電池スタックＦＣに供給される。燃料電池スタックＦＣでは、再生処理の実行中においても発電が継続される。
【００４２】
第１フィルタＦ１では、ヒーターＨＴの加熱によって不純物が離脱する。離脱した不純物は、三方弁Ｖ２を通って空気供給配管ＰＰ１０から配管ＰＰ１２へと流入した後、燃料電池装置ＦＣＡの外部に排出される。尚、離脱した不純物が第１フィルタＦ１よりも上流側（ポンプＣＰ側）に向かう場合もあるが、三方弁Ｖ１によって遮られるため、不純物が配管ＰＰ１３に流入することはない。
【００４３】
以上のように、本実施形態では、第１フィルタＦ１をヒーターＨＴで加熱して不純物の除去（再生処理）を行っても、離脱した不純物が燃料電池スタックＦＣ到達することが無い。このため、再生処理に伴って燃料電池装置ＦＣＡの発電性能が低下してしまうことが無い。
【００４４】
再生処理の実行中は、不純物の離脱に伴い、第１フィルタＦ１における圧力損失は次第に小さくなって行く。圧力センサＰＳ１の測定値から圧力センサＰＳ２の測定値を差し引いた値が所定の下限値を下回ると、制御装置は、ヒーターＨＴへの電力供給を停止し、再生処理を停止する。その後、三方弁Ｖ１等の状態がそれぞれ元の状態に戻され、通常の運転が再開される。
【００４５】
燃料電池装置ＦＣＡの運転が長期に亘り継続されると、第２フィルタＦ２における不純物の吸着量も次第に増加して行く。制御装置ＣＴは、第２フィルタＦ２の吸着性能が低下したか否かを、圧力センサＰＳ２、ＰＳ３のそれぞれの測定値に基づいて判定する。具体的には、圧力センサＰＳ２の測定値から圧力センサＰＳ３の測定値を差し引いた値（つまり、第２フィルタＦ２における圧力損失）が所定の閾値を超えた場合には、第２フィルタＦ２の吸着性能が低下したと判定する。このような判定がなされると、制御装置ＣＴは、第２フィルタＦ２の交換が必要である旨を、例えばランプ（不図示）の点灯等によって使用者に報知する。
【００４６】
使用者により第２フィルタＦ２の交換作業が行われているときには、その間も継続して発電が行われる。交換作業中においては空気が第２フィルタＦ２に流入することの無いように、制御装置ＣＴにより三方弁Ｖ３等の状態が切り替えられる。
【００４７】
第２フィルタＦ２の交換作業が行われている間におけるそれぞれの三方弁（Ｖ３等）の状態について、具体的に説明する。三方弁Ｖ１は、ポンプＣＰからの空気が通過して第１フィルタＦ１側に向かうような状態となっている。三方弁Ｖ２は、第１フィルタＦ１を通った空気が通過して三方弁Ｖ３側に向かうような状態となっている。
【００４８】
三方弁Ｖ３は、第１フィルタＦ１及び三方弁Ｖ２を通った空気が第２フィルタＦ２側には向かわず、配管ＰＰ１４に流入するような状態に切り替えられる。三方弁Ｖ４は、第２フィルタＦ２を通った空気が遮断され、代わりに配管ＰＰ１５からの空気が燃料電池スタックＦＣに向かって通過するような状態に切り替えられる。三方弁Ｖ５は、配管ＰＰ１４と配管ＰＰ１５とが連通しており、且つ配管ＰＰ１３と配管ＰＰ１４（及び配管ＰＰ１５）とが連通していない状態となるように切り替えられる。
【００４９】
このような状態においては、ポンプＣＰから送り込まれた空気は、三方弁Ｖ１、第１フィルタＦ１、三方弁Ｖ２、三方弁Ｖ３、三方弁Ｖ５、第３フィルタＦ３、三方弁Ｖ４を順に通って燃料電池スタックＦＣに供給される。すなわち、鋼管柱である第２フィルタＦ２を通ることなく、代わりに第３フィルタＦ３を通るような経路を通って燃料電池スタックＦＣに供給される。これにより、燃料電池スタックＦＣでは、第２フィルタＦ２の交換作業中においても発電が継続される。
【００５０】
以上の例においては、第１フィルタＦ１の吸着性能が低下したか否かの判定を、圧力センサＰＳ１、ＰＳ２のそれぞれの測定値に基づいて行うこととしている。このような態様に替えて、圧力センサＰＳ１の測定値のみに基づいて上記判定が行われてもよい。例えば、圧力センサＰＳ１の測定値が所定の閾値を超えた場合に、第１フィルタＦ１の吸着性能が低下したと判定し、再生処理を実行することとしてもよい。
【００５１】
同様に、第２フィルタＦ２の吸着性能が低下したか否かの判定を、圧力センサＰＳ２の測定値のみに基づいて行うこととしてもよい。
【００５２】
燃料電池装置ＦＣＡの変形例について、図２を参照しながら説明する。図２に示される変形例は、配管ＰＰ１２の下流側端部が外部に開放されておらず、配管ＰＰ１１の途中に接続されている点においてのみ、図１に示される構成と異なっている。
【００５３】
このような態様においては、再生制御の実行中に第１フィルタＦ１から離脱した不純物は、配管ＰＰ１２を通ってその下流側端部に到達した後、配管ＰＰ１１を通じて残余の空気と共に外部に排出される。複数の排出口を設ける必要が無いため、燃料電池装置ＦＣＡの構成を簡素なものとすることができる。
【００５４】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００５５】
ＦＣＡ：燃料電池装置
ＦＣ：燃料電池スタック
Ｆ１：第１フィルタ
ＨＴ：ヒーター
ＰＰ１０：空気供給配管
ＰＰ１１，ＰＰ１２，ＰＰ１３，ＰＰ１４，ＰＰ１５，ＰＰ２１：配管
ＰＳ１，ＰＳ２，ＰＳ３：圧力センサ
Ｖ１，Ｖ２，Ｖ３，Ｖ４，Ｖ５：三方弁
ＲＦ：改質器
ＣＴ：制御装置
【図１】
2016177918.tif 000003
【図２】
2016177918.tif 000004